(57)【要約】【課題】加熱調理器から遠く離れたところからでも、調理終了を確実に認識できるようにする。【解決手段】スタートキー５は図示しない操作パネルに設けられており、表示装置１３は、このスタートキー５を取り囲むように配設されている。この表示装置１３は、複数の発光ダイオードＬ１〜Ｌ８を有して構成されている。【選択図】  図１
2004361043.tif 000002
【特許請求の範囲】
【請求項１】
被加熱物を収容する加熱室と、
被加熱物を加熱する加熱手段と、
操作パネルに設けられ、押圧操作又は回動操作により加熱制御に関連する条件の設定や指示を行う操作子と、
前記操作パネルに設けられた表示手段とを備え、
この表示手段は前記加熱手段による加熱調理の終了を報知することを特徴とする加熱調理器。
【請求項２】
表示手段は、複数の表示部を前記操作子を取り囲むように配置した構成であることを特徴とする請求項１記載の加熱調理器。
【請求項３】
複数の表示部は発光手段により構成され、調理の進行に応じて発光手段の発光個数が変化するようになっていることを特徴とする請求項２記載の加熱調理器。
【請求項４】
表示部は発光色変更可能な発光手段により構成され、加熱手段として異なる構成の加熱手段を複数備え、各加熱手段又は設定仕上がり温度に応じて表示部の発光色を変更するようになっていることを特徴とする請求項１又は２記載の加熱調理器。
【発明の詳細な説明】
【０００１】
【発明の属する技術分野】
本発明は、表示について改良した加熱調理器に関する。
【０００２】
【従来の技術】
従来より、加熱調理器において、調理終了報知は、ブザーによる報知や、庫内灯制御（例えば特許文献１）による報知が知られている。庫内灯制御による報知は、調理中は庫内灯を点灯していて終了になると消灯するものであった。
【０００３】
【発明が解決しようとする課題】
しかしながら、ブザーによる報知では、報知時に加熱調理器の近くにいないと聞こえにくく、また、庫内灯制御報知の場合には、庫内灯が、庫内（加熱室）外部に設けられていて、パンチングメタルを通して庫内を照明するため、非常に見難いといった問題があった。
【０００４】
本発明は上記事情に鑑みてなされたものであり、その目的は、加熱調理器から遠く離れたところからでも、調理終了を確実に認識できる加熱調理器を提供するにある。
【０００５】
【課題を解決するための手段】
請求項１の発明は、被加熱物を収容する加熱室と、
被加熱物を加熱する加熱手段と、
操作パネルに設けられ、押圧操作又は回動操作により加熱制御に関連する条件の設定や指示を行う操作子と、
前記操作パネルに設けられた表示手段とを備え、
この表示手段が前記加熱手段による加熱調理の終了を報知するところに特徴を有する。
【０００６】
この請求項１の発明によれば、操作パネルに設けられた表示手段により調理終了を報知するから、加熱調理器から遠く離れたところからでも、調理終了を良好に認識できる。
【０００７】
この場合、請求項２の発明のように、表示手段を、複数の表示部を前記操作子を取り囲むように配置した構成としても良く、このようにすると、表示が見やすくて、調理終了をさらに良好に認識できるようになる。
【０００８】
また、請求項３の発明のように、複数の表示部が発光手段により構成され、調理の進行に応じて発光手段の発光個数が変化するようにしても良く、このようにすると、調理の進行状況も発光個数に応じて報知できて、調理進行状況も良好に認識できるようになる。
【０００９】
さらにまた、請求項４の発明のように、表示部が発光色変更可能な発光手段により構成され、加熱手段として異なる構成の加熱手段が複数備えられ、各加熱手段又は設定仕上がり温度に応じて表示部の発光色が変更されるようにしても良く、このようにすると、レンジ調理（これはマグネトロンからなる加熱手段が使用される）あるいはオーブン調理やグリル調理（これはヒータからなる加熱手段が使用される）を区別して表示することが可能となり、又は設定仕上がり温度を表示することも可能となる。
【００１０】
【発明の実施の形態】
以下、本発明をオーブン機能付き電子レンジに適用した一実施例につき図１ないし図７を参照して説明する。まず、図２において、レンジ本体１の内部には被加熱物を収容する加熱室２が形成されており、レンジ本体１の前面には加熱室２を開閉するための扉３が設けられている。レンジ本体１の前面においてこの扉３の横の部位には、操作パネル４が設けられている。
【００１１】
この操作パネル４には、図４に示すように、いずれも操作子たる押圧操作される円形の加熱開始キーたるスタートキー５、回動操作される時間設定ダイヤル６、調理形態選択キー７ａ〜７ｅ、取消キー７ｆ、温度・仕上がり調節キー８ａ、８ｂ、生解凍キー９、飲み物キー１０などが備えられていると共に、液晶ディスプレー１２が備えられている。各キーは加熱制御に関連する条件の設定や指示を行うものである。上記時間設定ダイヤル６は温度設定にも利用される。
【００１２】
さらに、この操作パネル４には表示手段たる表示装置１３が設けられている。この表示装置１３は、図１及び図５に示すように、操作子たるスタートキー５を取り囲むように点灯可能な複数例えば８個の表示部たる発光ダイオードＬ１〜Ｌ８を備えて構成されている。各発光ダイオードＬ１〜Ｌ８は、光遮蔽壁１４によってスタートキー５の外周を８等分された部屋Ｈ１〜Ｈ８（図１には概略的に示している）に配置されている。そして、各部屋Ｈ１〜Ｈ８の上面（操作パネル１１と同じ高さの面）には光透過フィルタ１５が配設されている。なお、各発光ダイオードＬ１〜Ｌ８は同一発光色である。
【００１３】
なお、図５に示すように、前記スタートキー５の裏側にはプリント基板１６が配置されていて、このプリント基板１６にはスタートキー５によって押圧されて動作するスイッチ１７及び前記発光ダイオードＬ１〜Ｌ８が実装されている。さらに時間設定ダイヤル６に対応してロータリーエンコーダ２５（図３参照）また、図示しないが各キー７ａ〜７ｆ、８ａ、８ｂ、９、１０に対応してスイッチが設けられている。
【００１４】
図３には、電気的構成のブロック図を示している。制御回路１８はマイクロコンピュータ及び駆動回路並びにＡ／Ｄコンバータなどを含んで構成されており、加熱運転制御手段や表示制御手段として機能する。加熱手段たるマグネトロン１９は、前記本体１の図示しない機械室に設けられていて、加熱室２内にマイクロ波を供給してレンジ調理を行うためのものである。別の加熱手段たるヒータ装置２０は、オーブン調理、あるいはグリル調理を行うためのものであり、加熱室２の上部に設けられたヒータ、下部に設けられたヒータなど（いずれも図示せず）を備えて構成されている。
【００１５】
温度検出手段たるオーブン用サーミスタ２１は、本体１に加熱室２内の温度を検出し得るように設けられている。別の温度検出手段たる赤外線温度センサ２２は本体１に被加熱物（食品）の温度を非接触で検出し得るように設けられている。スイッチ入力回路２３は前記スイッチ１７及びその他のスイッチを備えて構成されており、操作されたキーに応じたスイッチからのスイッチ信号を制御回路１８に入力するものである。扉開閉検出手段たる扉開閉センサ２４は、本体１に扉３の開放及び閉鎖を検出し得るように設けられている。ロータリーエンコーダ２５は前記時間設定ダイヤル６の回転操作に連動して回転量に応じたパルスを発生して制御回路１８に入力するようになっており、制御回路１８はそのパルス数に応じて時間を設定する。ターンテーブルモータ２６は、加熱室２内に設けられた回転皿（図示せず）を駆動するためのものである。ブザー２７は終了報知などを行うものである。
【００１６】
制御回路１８はそのマイクロコンピュータのメモリに保有した運転プログラムに従い、各入力に応じてマグネトロン１９、ヒータ装置２０、液晶ディスプレー１２、ターンテーブルモータ２６、発光ダイオードＬ１〜Ｌ２、ブザー２７を制御するようになっている。なお、上記マグネトロン１９はその出力が可変である。
【００１７】
前記制御回路１８は表示装置１３を次のように制御する。例えば、キー７ｅによりレンジ調理が設定され、そして時間設定ダイヤル６にて加熱調理時間（Ｔｋとする）が設定された上で、スタートキー５が押圧操作されると、マグネトロン１９による加熱調理が開始される。すると、制御回路１８は上記設定された調理時間Ｔｋを８等分（Ｔｋ／８）して、図６に示すように、最初のＴｋ／８の時間帯（同図（ａ））では、発光ダイオードＬ１を０．５秒点灯・０．５秒消灯（０．５秒間隔の点滅）を繰り返し、次のＴｋ／８の時間帯（同図（ｂ））では、発光ダイオードＬ１は点灯させたままとして、Ｌ２を同じく０．５秒間隔で点滅させ、順次、Ｔｋ／８が経過するごとに、点滅させていたものを点灯状態とすると共に、一つ点滅させる発光ダイオードを増やしていく。そして、最後のＴｋ／８の時間帯になると、発光ダイオードＬ８を点滅する（その他は点灯）。このようにして、加熱調理時間の経過と共に表示領域が増えて、最後には環状になる。
【００１８】
そして、上記加熱調理の設定時間Ｔｋが経過すると（調理が終了すると）、図７に示すように、全発光ダイオードＬ１〜Ｌ８を０．５秒点灯し（同図（ａ））、次に、０．５秒全消灯し（同図（ｂ））、以下、０．５秒全点灯（同図（ｃ））、０．５秒全消灯（同図（ｄ））、０．５秒全点灯（同図（ｅ））、全消灯（同図（ｆ））までを実行する（０．５秒点滅を３回実行する）。このようにして終了報知がなされる。この点滅と同期してブザー２７をオン、オフする。
【００１９】
この後、扉３が開放されない場合（加熱室２内の収容物が取り出されない場合）には、１分経過するごとに、上述の３回０．５秒点滅を実行する（リマンドアラーム報知機能）。
【００２０】
このような本実施例によれば、操作パネル４に設けられた表示装置１３により調理終了を報知するから、加熱調理器から遠く離れたところからでも、調理終了を良好に認識できる。
【００２１】
また、本実施例によれば、表示装置１３を、複数の発光ダイオードＬ１〜Ｌ８をスタートキー５を取り囲むように配置した構成としたから、表示が見やすくて、調理終了をさらに良好に認識できるようになる。
【００２２】
さらにまた、表示部を発光手段である発光ダイオードＬ１〜Ｌ８により構成し、調理の進行に応じて発光ダイオードＬ１〜Ｌ８の発光個数が変化するようにしたから、調理の進行状況も発光個数に応じて報知できて、調理進行状況も良好に認識できるようになる。特に発光箇所が切り替わったところを点滅するようにしたから、さらに進行状況も把握しやすくなる。
【００２３】
本発明の実施例は次のように変更しても良い。
表示部を発光色変更可能な発光手段例えば多色発光ダイオードあるいは二色発光ダイオードにより構成し、加熱手段であるマグネトロンを使用した加熱調理（レンジ調理）と、別の加熱手段であるヒータ装置を使用した加熱調理（オーブン調理やグリル調理）との選択に応じて、表示部の発光色を変更するようにしても良い。又は、設定仕上がり温度に応じて表示部の発光色を変更するようにしても良く、このようにすると、レンジ調理（これはマグネトロンからなる加熱手段が使用される）あるいはオーブン調理やグリル調理（これはヒータからなる加熱手段が使用される）を区別して表示することが可能となり、又は設定仕上がり温度を表示することも可能となる。さらにまた、調理途中の温度に応じて発光色を変更しても良い。
【００２４】
また、スタートキーと時間設定ダイヤルとを兼用する操作子を設け、この操作子を取り囲むように表示手段を設けるようにしても良い。また表示手段は操作パネルの中央部よりも上部に設けても良く、このようにするとさらに見易い。
【００２５】
【発明の効果】
本発明は以上の説明から明らかなように、加熱調理器から遠く離れたところからでも、調理終了を確実に認識できるという効果を奏する。
【図面の簡単な説明】
【図１】本発明の一実施例を示すスタートキー部分の正面図
【図２】加熱調理器の斜視図
【図３】電気的構成のブロック図
【図４】操作パネルの正面図
【図５】スタートキー部分の縦断正面図
【図６】調理中の表示パターンの変化を示す図
【図７】調理終了時の表示パターンの変化を示す図
【符号の説明】
１はレンジ本体、２は加熱室、３は扉、５はスタートキー（操作子）、６は時間設定ダイヤル（操作子）、１３は表示装置（表示手段）、Ｌ１〜Ｌ８は発光ダイオード（表示部）、１７はスイッチ、１８は制御回路（表示制御手段）、１９はマグネトロン（加熱手段）、２０はヒータ装置（加熱手段）を示す。
【図１】
2004361043.tif 000003
【図２】
2004361043.tif 000004
【図３】
2004361043.tif 000005
【図４】
2004361043.tif 000006
【図５】
2004361043.tif 000007
【図６】
2004361043.tif 000008
【図７】
2004361043.tif 000009